(57)【要約】【課題】光源と光学素子の位置精度を向上させることができる光走査装置を提供する。【解決手段】光走査装置は、半導体レーザ１０（光源）とカップリングレンズ４０（光学素子）を保持する保持部材１００と、保持部材１００が固定される固定壁２１０と、を備えている。保持部材１００は、半導体レーザ１０およびカップリングレンズ４０を保持する本体部１０１と、保持部材１００を固定壁２１０に対してねじＢで固定するための開口部１５１を有する延出部１０２とを有し、延出部１０２は、開口部１５１を左右方向から挟んで配置され、固定壁２１０に向けて貫通する一対の貫通孔１５２を有し、貫通孔１５２は、左右方向に見て、ねじＢの座面となる範囲よりも外側まで延び、延出部１０２は、一対の貫通孔１５２の間の部分が、ねじＢを締めることにより撓んでいる。【選択図】図４
2014130244.tif 000002
【特許請求の範囲】
【請求項１】
光源と、
前記光源からのレーザ光を光束に変換する光学素子と、
前記光源および前記光学素子を保持する保持部材と、
前記保持部材が固定される固定壁と、を備えた光走査装置であって、
前記保持部材は、前記光源および前記光学素子を保持する本体部と、前記本体部から延出し、前記保持部材を前記固定壁に対してねじで固定するための開口部を有する延出部とを有し、
前記延出部は、前記開口部を挟んで配置され、前記固定壁に向けて貫通する一対の貫通孔を有し、
前記貫通孔は、前記開口部と前記貫通孔が並ぶ方向に見て、前記ねじの座面となる範囲よりも外側まで延び、
前記延出部は、前記一対の貫通孔の間の部分が、前記ねじを締めることにより撓んでいることを特徴とする光走査装置。
【請求項２】
前記延出部は、前記一対の貫通孔が並ぶ方向と直交する方向から前記開口部を挟んだ位置に、前記固定壁へ向けて突出する凸部を有し、
前記凸部が、前記固定壁に接触していることを特徴とする請求項１に記載の光走査装置。
【請求項３】
前記延出部は、少なくとも、前記光源と前記光学素子が並ぶ方向に直交する方向において、前記本体部を挟む２箇所に設けられ、
前記凸部は、前記光源と前記光学素子が並ぶ方向と直交する方向で前記光学素子を挟む位置に設けられていることを特徴とする請求項２に記載の光走査装置。
【請求項４】
前記光源からのレーザ光を偏向する偏向器と、
前記偏向器により偏向されたレーザ光を受光して検出信号を発生する受光センサと、
前記受光センサにレーザ光を導くためのレンズと、を備え、
前記延出部は、前記開口部よりも前記凸部および前記貫通孔の外側で、前記レンズを保持していることを特徴とする請求項２または請求項３のいずれか１項に記載の光走査装置。
【請求項５】
前記固定壁は、板金からなることを特徴とする請求項１から請求項４のいずれか１項に記載の光走査装置。
【請求項６】
前記保持部材は、前記本体部から延出するボスを有し、
前記固定壁は、前記ボスが挿通可能な係合部を有することを特徴とする請求項５に記載の光走査装置。
【請求項７】
前記一対の貫通孔は、前記開口部の中心を通り、前記開口部と前記貫通孔が対向する方向に直交する直線に関して線対称となるように形成されていることを特徴とする請求項１から請求項６のいずれか１項に記載の光走査装置。
【請求項８】
前記延出部は、前記開口部と前記貫通孔が並ぶ方向と直交する方向で前記開口部を挟んだ位置において、前記固定壁と接触し、
前記貫通孔は、前記開口部と前記貫通孔が対向する方向に直交する方向において、少なくとも前記保持部材と前記固定壁の接触部分まで延びていることを特徴とする請求項１から請求項７のいずれか１項に記載の光走査装置。
【発明の詳細な説明】
【技術分野】
【０００１】
本発明は、光源と光学素子を保持する保持部材を備えた光走査装置に関する。
【背景技術】
【０００２】
従来、半導体レーザからなる光源と、光源からのレーザ光を光束に変換するカップリングレンズ（光学素子）とが１つの保持部材に保持されている光走査装置が知られている（例えば、特許文献１参照）。この光走査装置では、保持部材は、貫通孔が形成されており、この貫通孔に挿通されたねじにより、光走査装置のフレームに固定されている。
【先行技術文献】
【特許文献】
【０００３】
【特許文献１】特開２０１２−１７３６６７号公報
【発明の概要】
【発明が解決しようとする課題】
【０００４】
しかしながら、上述した技術のように、保持部材をねじでフレームに固定すると、保持部材のねじ止めした部分の歪みが保持部材の全体に影響し、光源と光学素子の位置関係がずれてしまうおそれがある。
【０００５】
そこで、本発明は、光源と光学素子の位置精度を向上させることができる光走査装置を提供することを目的とする。
【課題を解決するための手段】
【０００６】
前記した目的を達成するため、本発明の光走査装置は、光源と、光源からのレーザ光を光束に変換する光学素子と、光源および光学素子を保持する保持部材と、保持部材が固定される固定壁と、を備えている。
保持部材は、光源および光学素子を保持する本体部と、本体部から延出し、保持部材を固定壁に対してねじで固定するための開口部を有する延出部とを有している。
そして、延出部は、開口部を挟んで配置され、固定壁に向けて貫通する一対の貫通孔を有し、貫通孔は、開口部と貫通孔が並ぶ方向に見て、ねじの座面となる範囲よりも外側まで延び、延出部は、一対の貫通孔の間の部分が、ねじを締めることにより撓んでいる。
【０００７】
このように構成された光走査装置によれば、保持部材をねじで固定壁に固定したときに、保持部材は、延出部の一対の貫通孔の間の部分、つまり、開口部の周りだけ撓むので、本体部が変形しにくい。これにより、光源と光学素子の位置精度を向上させることができる。
【０００８】
そして、前記した光走査装置において、延出部は、一対の貫通孔が並ぶ方向と直交する方向から開口部を挟んだ位置に、固定壁へ向けて突出する凸部を有し、凸部が、固定壁に接触している構成とすることができる。
【０００９】
また、前記した延出部に凸部を有する光走査装置において、延出部は、少なくとも、光源と光学素子が並ぶ方向に直交する方向において、本体部を挟む２箇所に設けられ、凸部は、光源と光学素子が並ぶ方向と直交する方向で光学素子を挟む位置に設けられていることが望ましい。
【００１０】
このように構成された光走査装置によれば、光学素子を挟んだ位置で凸部が固定壁に接触しているので、保持部材の回転を抑制して、光学素子の位置精度を向上させることができる。
【００１１】
そして、前記した延出部に凸部を有する光走査装置は、光源からのレーザ光を偏向する偏向器と、偏向器により偏向されたレーザ光を受光して検出信号を発生する受光センサと、受光センサにレーザ光を導くためのレンズと、を備えていてもよい。
この場合、延出部は、開口部よりも凸部および貫通孔の外側で、レンズを保持していることが望ましい。
【００１２】
このように構成された光走査装置によれば、保持部材を固定壁に固定したときに撓む部分よりも外側にレンズが配置されているので、レンズの位置精度を向上させることができる。
【００１３】
また、前記した光走査装置において、固定壁は、板金から構成されていてもよい。
【００１４】
この場合、保持部材は、本体部から延出するボスを有し、固定壁は、ボスが挿通可能な係合部を有することが望ましい。
【００１５】
このように構成された光走査装置によれば、板金からなる固定壁にボスを設ける場合よりも、簡単に位置決め用のボスを設けることができる。
【００１６】
そして、前記した光走査装置において、一対の貫通孔は、開口部の中心を通り、開口部と貫通孔が対向する方向に直交する直線に関して線対称となるように形成されていることが望ましい。
【００１７】
このように構成された光走査装置によれば、開口部の周りが略均等に撓むので、保持部材が傾くのを抑制することができる。
【００１８】
また、前記した光走査装置において、延出部は、開口部と貫通孔が並ぶ方向と直交する方向で開口部を挟んだ位置において、固定壁と接触していてもよい。
この場合、貫通孔は、開口部と貫通孔が対向する方向に直交する方向において、少なくとも保持部材と固定壁の接触部分まで延びている構成とすることができる。
【発明の効果】
【００１９】
本発明によれば、保持部材をねじで固定壁に固定したときに、保持部材は、延出部の一対の貫通孔の間の部分、つまり、開口部の周りだけ撓むので、本体部が変形しにくい。これにより、光源と光学素子の位置精度を向上させることができる。
【図面の簡単な説明】
【００２０】
【図１】本発明の一実施形態に係る光走査装置を示す斜視図である。
【図２】光源装置を上から見た斜視図である。
【図３】光源装置を下から見た斜視図である。
【図４】フレームと光源装置を示す分解斜視図である。
【図５】保持部材をフレームに固定した状態における延出部を示す断面図である。
【図６】変形例における光源装置を下から見た斜視図である。
【発明を実施するための形態】
【００２１】
次に、本発明の一実施形態について、適宜図面を参照しながら詳細に説明する。なお、以下の説明では、まず、本発明の実施形態に係る光走査装置の概略構成について簡単に説明した後、本発明の特徴部分について詳しく説明する。
【００２２】
＜光走査装置の概略構成＞
図１に示すように、光走査装置１は、光源装置２と、偏向器の一例としてのポリゴンミラー３と、走査レンズ４とを主に備え、光源装置２から出射されたレーザ光を図示しない感光ドラムの被走査面にスポット状に集光し、被走査面を走査するように構成されている。各光学部品は、フレーム２００の略平板状に形成された固定壁２１０の上に固定されている。
【００２３】
図２に示すように、光源装置２は、光源の一例としての半導体レーザ１０と、制御基板２０と、開口絞り３０と、光学素子の一例としてのカップリングレンズ４０と、レンズの一例としての集光レンズ５０と、受光センサ６０（図１参照）と、保持部材１００とを主に備えて構成されている。
【００２４】
半導体レーザ１０は、レーザ光を出射する公知の素子であり、リードピン１１が制御基板２０に接続される。この半導体レーザ１０は、図示しない制御装置により、被走査面に露光すべき画像に対応して明滅される。
【００２５】
制御基板２０は、半導体レーザ１０に電力を供給するための図示しない回路が設けられた略矩形状のプリント基板である。
【００２６】
開口絞り３０は、略矩形状の開口を有する板状の部材であり、半導体レーザ１０からのレーザ光の径を規定する。
【００２７】
カップリングレンズ４０は、半導体レーザ１０からのレーザ光を光束に変換するレンズである。具体的には、カップリングレンズ４０は、開口絞り３０とポリゴンミラー３の間に配置され、半導体レーザ１０から出射し、開口絞り３０を通過したレーザ光を、主走査方向（図１においてレーザ光の進行方向に対して左右に振れる方向であり、ポリゴンミラー３により偏向される方向）には僅かに収束する光ビームとし、副走査方向（主走査方向に直交する方向で、図１における上下方向）にはポリゴンミラー３のミラー面３Ａの近傍で結像させるレンズである。このカップリングレンズ４０は、主走査方向と副走査方向にそれぞれ異なる回折パワーを有するとともに、主走査方向と副走査方向にそれぞれ異なる屈折パワーを有している。
【００２８】
集光レンズ５０は、ポリゴンミラー３により偏向されたレーザ光を後述する受光センサ６０に導くためのレンズであり、ポリゴンミラー３と受光センサ６０の間に配置されている。
【００２９】
受光センサ６０は、図１に示すように、後述するポリゴンミラー３により偏向されたレーザ光を受光して検出信号を発生させるセンサであり、制御基板２０上に設けられている。
【００３０】
保持部材１００は、半導体レーザ１０、制御基板２０、カップリングレンズ４０および集光レンズ５０を保持する部材であり、フレーム２００の固定壁２１０に固定されている。なお、保持部材１００の詳細な構成については、後述する。
【００３１】
このように構成された光源装置２では、受光センサ６０でレーザ光が検出されてから所定時間経過した後に、半導体レーザ１０を画像データに基づいて適宜明滅させる。
【００３２】
ポリゴンミラー３は、４つのミラー面３Ａが回転軸３Ｂから等距離に配置された部材であり、回転軸３Ｂを中心に一定速度で回転することで、カップリングレンズ４０を通過したレーザ光を反射して主走査方向に偏向する。
【００３３】
走査レンズ４は、ポリゴンミラー３で偏向されたレーザ光が通過するレンズである。この走査レンズ４は、レーザ光を主走査方向および副走査方向に収束または屈折させることで、レーザ光を被走査面上にスポット状に結像するとともに、ポリゴンミラー３のミラー面３Ａの面倒れを補正する。また、走査レンズ４は、ポリゴンミラー３により等角速度で偏向されたレーザ光を、被走査面上に等速度で走査するようなｆθ特性を有している。
【００３４】
＜保持部材の詳細構成＞
次に、光源装置２の保持部材１００の詳細構成について説明する。なお、以下の説明においては、半導体レーザ１０とカップリングレンズ４０が並ぶ方向、つまり、光軸方向を「前後方向」とする。また、光軸方向に直交し、フレーム２００の固定壁２１０に沿う方向を「左右方向」とし、光軸方向に直交し、固定壁２１０と保持部材１００が並ぶ方向を「上下方向」とする。
【００３５】
図２に示すように、保持部材１００は、樹脂から形成され、半導体レーザ１０およびカップリングレンズ４０を保持する本体部１０１と、本体部１０１を挟むように本体部１０１の左右方向両側に配置される一対の延出部１０２とを有している。
【００３６】
本体部１０１は、半導体レーザ１０を支持する光源支持壁１１０と、光源支持壁１１０と前後方向で対向する開口絞り３０と、光源支持壁１１０と開口絞り３０を連結するように前後方向に延び、左右方向で対向する一対の側壁１２０と、光源支持壁１１０、開口絞り３０および一対の側壁１２０の下端同士を繋ぐように形成される底壁１３０とを有している。
【００３７】
そして、一対の側壁１２０と底壁１３０は、開口絞り３０よりも前後方向外側まで延びており、この本体部１０１の開口絞り３０よりも外側の空間が、カップリングレンズ４０を保持するカップリングレンズ保持部１４０となっている。つまり、カップリングレンズ保持部１４０は、開口絞り３０を挟んで半導体レーザ１０とは反対側に設けられた上方および後方に開放された凹部である。
【００３８】
光源支持壁１１０は、半導体レーザ１０の先端が配置される前後方向に貫通した開口１１１が形成されている。開口１１１は、半導体レーザ１０、開口絞り３０の開口およびカップリングレンズ４０が一直線上に並ぶような位置に形成されている。
【００３９】
底壁１３０は、図３に示すように、下面に、フレーム２００の固定壁２１０側、すなわち、下側へ突出する２つのボス１３１が形成されている。２つのボス１３１は、前後方向に並んで配置されている。より詳細には、前側のボス１３１は、光源支持壁１１０の開口１１１の下に設けられ、後側のボス１３１は、開口絞り３０の下に設けられている。
【００４０】
そして、本体部１０１は、前面（詳細には、底壁１３０の前端縁）に前後方向外側に突出するピン１１２が設けられている。
【００４１】
延出部１０２は、図２に示すように、本体部１０１の底壁１３０から左右方向外側へ向けて延びる被固定壁１５０と、本体部１０１の光源支持壁１１０から左右方向外側へ向けて延びる前壁１６０とを有する略Ｌ字状に形成されている。また、右側の延出部１０２は、集光レンズ５０を支持する集光レンズ支持部１７０を有している。
【００４２】
各被固定壁１５０には、保持部材１００をフレーム２００の固定壁２１０に対してねじＢ（図４参照）で固定するための開口部１５１と、開口部１５１を左右方向から挟んで配置される一対の貫通孔１５２とが形成されている。また、図３に示すように、被固定壁１５０の下面には、開口部１５１を前後方向で挟んで配置される一対の凸部の一例としての脚１５３が設けられている。
【００４３】
開口部１５１は、ねじＢ（図４参照）の座面よりも小さい直径を有する上下方向に貫通した孔である。
【００４４】
一対の貫通孔１５２は、上下方向、すなわち、固定壁２１０に向けて貫通し、前後方向に長いスリット状の孔である。一対の貫通孔１５２は、開口部１５１の中心を通って前後方向（開口部１５１と貫通孔１５２が対向する方向に直交する方向）に延びる直線Ｌに関して略線対称となるように形成されている。そして、貫通孔１５２は、開口部１５１と貫通孔１５２が並ぶ方向、すなわち、左右方向から見て、ねじＢの座面となる範囲よりも外側まで延びている。
【００４５】
一対の脚１５３は、被固定壁１５０の下面から下方へ突出するように形成されている。一対の脚１５３は、左右方向から見て貫通孔１５２よりも前後方向外側の位置に設けられている。そして、左側の延出部１０２に設けられている脚１５３と右側の延出部１０２に設けられている脚１５３とは、前後方向において略同じ位置に形成されており、後側に設けられている脚１５３は、左右方向において、カップリングレンズ４０を挟む位置に配置されている。
【００４６】
図２に示すように、集光レンズ支持部１７０は、右側の延出部１０２の後端部に設けられている。集光レンズ支持部１７０は、延出部１０２の被固定壁１５０から後方へ突出するように形成されており、集光レンズ５０が嵌め込まれる上方に開口した凹部１７１を有している。これにより、集光レンズ支持部１７０は、開口部１５１よりも貫通孔１５２および脚１５３の外側で、集光レンズ５０を保持可能となっている（図３参照）。
【００４７】
そして、延出部１０２は、右側の延出部１０２の前面（被固定壁１５０の前端縁）から前後方向外側へ向けて延びるピン１６１が設けられている。
【００４８】
このように構成された保持部材１００に対して、制御基板２０は、図２および図３に示すように、保持部材１００の前面（光源支持壁１１０の前後方向外側の面）に沿って配置されている。そして、制御基板２０は、本体部１０１のピン１１２や延出部１０２のピン１６１が制御基板２０に形成された孔（符号省略）と当該孔へ向かう方向（左右方向）へ長く延びる長孔（符号省略）に挿通されることで、保持部材１００に対して位置決めされるとともに、ねじ（符号省略）によって延出部１０２に固定されている。
【００４９】
また、半導体レーザ１０は、先端が光源支持壁１１０の開口１１１に嵌め込まれ、接着剤などによって光源支持壁１１０に固定されている。
【００５０】
そして、カップリングレンズ４０は、カップリングレンズ保持部１４０に配置され、クリップ１８０によって開口絞り３０の後面に押し付けられることで、本体部１０１に固定されている。クリップ１８０は、略コ字状に形成された金属板であり、本体部１０１の後部を挟み込んでいる。クリップ１８０は、カップリングレンズ４０に対応する部分が切り欠かれており、切欠の縁からカップリングレンズ４０を開口絞り３０へ向けて押し付ける板バネが延びている。
【００５１】
そして、集光レンズ５０は、集光レンズ支持部１７０の凹部１７１に嵌め込まれ、接着剤などによって集光レンズ支持部１７０に固定されている。
【００５２】
＜固定壁の詳細構成＞
次に、保持部材１００が固定される固定壁２１０の詳細な構成について説明する。
【００５３】
図４に示すように、固定壁２１０は、板金から形成され、保持部材１００が固定される部分に、左右方向に並ぶ一対の台座２１１と、一対の台座２１１の間に配置された係合部の一例としての位置決め孔２１２および長孔２１３とが設けられている。
【００５４】
一対の台座２１１は、固定壁２１０を塑性変形させることにより形成されている。そして、台座２１１の上面（座面）は、保持部材１００の延出部１０２に対応する位置に形成され、延出部１０２よりも前後方向に長くなっている。そして、各台座２１１の上面には、ねじＢがねじ込まれる孔２１１Ａが形成されている。
【００５５】
位置決め孔２１２と長孔２１３は、前後方向に並んで配置されている。そして、長孔２１３は、位置決め孔２１２に向かう方向、すなわち、前後方向に長くなっている。
【００５６】
このように形成された固定壁２１０に対して保持部材１００は、２つのボス１３１（図３参照）が位置決め孔２１２と長孔２１３に挿通されることにより、固定壁２１０に対して位置決めされている。具体的には、前側のボス１３１が位置決め孔２１２に挿通されることで、保持部材１００が固定壁２１０に対して位置決めされる。そして、後側のボス１３１が長孔２１３に挿通されることにより、保持部材１００が前側のボス１３１を中心に回転しないようになっている。そして、延出部１０２の開口部１５１に挿通したねじＢを台座２１１の孔２１１Ａにねじ込むことにより、保持部材１００が固定壁２１０に固定されている。
【００５７】
固定壁２１０に固定された保持部材１００は、図５に示すように、延出部１０２の脚１５３が台座２１１の上面に接触するように台座２１１上に載っている。そして、ねじＢを固定壁２１０の孔２１１Ａにねじ込むことで、延出部１０２の被固定壁１５０のうち一対の貫通孔１５２の間の部分、より詳細には、一対の脚１５３と一対の貫通孔１５２に囲まれている部分が撓み、開口部１５１の縁が固定壁２１０とねじＢの座面により挟まれている。
【００５８】
以上のように構成された光走査装置１の作用および効果について説明する。
保持部材１００は、ねじＢが挿通される開口部１５１を挟むように一対の貫通孔１５２が設けられ、ねじＢで固定壁２１０に固定されたときに、この一対の貫通孔１５２と一対の脚１５３に囲まれた開口部１５１の周りの部分だけ撓むので、本体部１０１が変形せず、半導体レーザ１０とカップリングレンズ４０の位置がずれない。これにより、半導体レーザ１０とカップリングレンズ４０の位置精度を向上させることができる。
【００５９】
また、一対の貫通孔１５２は、開口部１５１の中心を通り開口部１５１と貫通孔１５２が並ぶ方向（左右方向）に直交する方向（前後方向）に延びる直線Ｌに関して略線対称となるように形成されているので、開口部１５１の周りが略均等に撓む。これにより、保持部材１００が傾いてしまうのを抑制し、半導体レーザ１０とカップリングレンズ４０の位置精度をより向上させることができる。
【００６０】
そして、固定壁２１０に固定される延出部１０２が本体部１０１を左右方向から挟むように設けられ、左右の延出部１０２の後側の脚１５３がカップリングレンズ４０を左右方向から挟む位置で固定壁２１０に接触しているので、本体部１０１のカップリングレンズ４０周辺が回転して傾いてしまうのを抑制し、カップリングレンズ４０の位置精度を向上させることができる。
【００６１】
また、集光レンズ支持部１７０が、延出部１０２の開口部１５１よりも脚１５３や貫通孔１５２の外側、すなわち、保持部材１００を固定壁２１０に固定したときに撓む部分よりも外側に形成されているので、開口部１５１の周りが撓んでも、集光レンズ支持部１７０の位置がずれにくい。これにより、集光レンズ支持部１７０に保持される集光レンズ５０の位置精度を向上させることができる。
【００６２】
以上、本発明の実施形態について説明したが、本発明は前記実施形態に限定されるものではない。具体的な構成については、本発明の趣旨を逸脱しない範囲で適宜変更が可能である。
【００６３】
前記実施形態では、延出部１０２に設けられている脚１５３が、貫通孔１５２よりも前後方向外側に設けられていたが、本発明はこれに限定されるものではない。例えば、図６に示すように、脚１５３Ａは、貫通孔１５２Ａの前後端よりも前後方向内側に設けられていてもよい。つまり、貫通孔１５２Ａは、前後方向において、少なくとも脚１５３Ａまで延びていてもよい。
【００６４】
このように構成されることにより、保持部材１００が固定壁２１０に固定されたときに、延出部１０２の開口部１５１の周りだけを撓ませることが可能であるとともに、前記実施形態よりも保持部材１００の前後の大きさを小さくすることができる。
【００６５】
前記実施形態では、延出部１０２の下面から突出する脚１５３が固定壁２１０に接触するように構成されていたが、本発明はこれに限定されるものではない。例えば、延出部１０２の被固定壁１５０は、一対の貫通孔１５２に挟まれる部分がその他の部分よりも一段上に浮き上がった形状となっており、被固定壁１５０の一対の貫通孔１５２の外側の部分が固定壁２１０に接触していてもよい。
【００６６】
また、前記実施形態では、保持部材１００の延出部１０２に固定壁２１０に向かって突出する脚１５３（凸部）を設け、この脚１５３が固定壁２１０の台座２１１に接触するように構成されていたが、本発明はこれに限定されるものではない。例えば、固定壁２１０の台座２１１に保持部材１００に向かって突出する凸部を設け、この凸部が開口部１５１を前後方向から挟む位置で延出部１０２に接触するように構成されていてもよい。
【００６７】
前記実施形態では、一対の貫通孔１５２は、開口部１５１を左右方向から挟むように設けられ、一対の脚１５３は、開口部１５１を前後方向から挟むように設けられていたが、本発明はこれに限定されるものではない。例えば、一対の貫通孔は、開口部１５１を前後方向から挟むように設けられ、一対の脚は、開口部１５１を左右方向から挟むように設けられていてもよい。
【００６８】
前記実施形態では、延出部１０２が、開口部１５１と貫通孔１５２が並ぶ方向と直交する方向（前後方向）で開口部１５１を挟んだ位置において固定壁２１０と接触していたが、本発明はこれに限定されるものではない。例えば、延出部１０２は、開口部１５１と貫通孔１５２が並ぶ方向（左右方向）における貫通孔１５２よりも外側の開口部１５１を挟んだ位置で固定壁２１０と接触していてもよい。
【符号の説明】
【００６９】
１      光走査装置
３      ポリゴンミラー
１０    半導体レーザ
４０    カップリングレンズ
５０    集光レンズ
６０    受光センサ
１００  保持部材
１０１  本体部
１０２  延出部
１３１  ボス
１５１  開口部
１５２  貫通孔
１５３  脚
２１０  固定壁
２１２  位置決め孔
２１３  長孔
Ｌ      直線
【図１】
2014130244.tif 000003
【図２】
2014130244.tif 000004
【図３】
2014130244.tif 000005
【図４】
2014130244.tif 000006
【図５】
2014130244.tif 000007
【図６】
2014130244.tif 000008